(57)【要約】【課題】水量が多くなっても良好な整流効果を得ることができる吐水装置を提供する。【解決手段】本発明は、給水された水を吐水口から吐水する吐水装置1,30であって、水平方向に延びる給水路及び鉛直方向に開口する吐水口8cを備えた吐水部本体8bと、この吐水部本体の吐水口に取り付けられ、上流から下流に向かって設けられた整流板12,32、整流網14及びこの整流網を保持する整流キャップ16を備えた吐水ユニット10と、を有し、整流板12,32は、その鉛直方向に延びる上流側側面に水平方向に延びるように形成された第１整流用開口部12c,32c及びその下流側水平面に鉛直方向に延びるように形成された第２整流用開口部12e,32eを備えている。【選択図】図４
2007270537.tif 000002
【特許請求の範囲】
【請求項１】
給水された水を吐水口から吐水する吐水装置であって、
水平方向に延びる給水路及び鉛直方向に開口する吐水口を備えた吐水部本体と、
この吐水部本体の吐水口に取り付けられ、上流から下流に向かって設けられた整流板、整流網及びこの整流網を保持する整流キャップを備えた吐水ユニットと、を有し、
上記整流板は、その鉛直方向に延びる上流側側面に水平方向に延びるように形成された第１整流用開口部及びその下流側水平面に鉛直方向に延びるように形成された第２整流用開口部を備えていることを特徴とする吐水装置。
【請求項２】
上記整流板は、上記側面に、上方に突出し且つ水平方向に延びる複数のリブを有し、これらのリブにより形成された複数の開口が上記第１整流用開口部である請求項１記載の吐水装置。
【請求項３】
上記整流板は、上記側面に、鉛直方向に延び且つ水平方向に複数の貫通孔が形成されている円筒部を有し、この円筒部の複数の貫通孔が上記第１整流用開口部である請求項１記載の吐水装置。
【請求項４】
上記吐水ユニットは、上記整流キャップが、上記整流網を保持した状態でその内周部が上記整流板の外周部に螺合して取り付けられることにより一体化され、また、上記整流網は、その中央部に開口が形成され、さらに、上記一体化された吐水ユニットの整流板が、この整流網の開口に対応する位置で上記吐水部本体にネジにより取り付けられている請求項１乃至３の何れか１項記載の吐水装置。
【発明の詳細な説明】
【技術分野】
【０００１】
本発明は、吐水装置に係り、特に、給水された水（お湯を含む）を吐水口から吐水する吐水装置に関する。
【背景技術】
【０００２】
従来から、使用者が、水の量とお湯の量を混合して調整し、好みの温度の湯水を浴槽に吐水する吐水装置が知られている。このような吐水装置においては、水量が多くなると、吐水が傾いたり、飛び散ったりするので、これらを防止するために、吐水を吐水口において整流するようにしている。
【０００３】
従来の吐水装置の一例が、特許文献１及び特許文献２に記載されている。特許文献１の吐水装置においては、吐水口に、上方から下方に向けて鉛直方向に、平面視星形形状の上流側整流板、上流側整流網、平面視星形形状の中間清流板、下流側整流網を設け、２組の整流板と整流網の組み合わせにより、上流から給水される水を良好に整流吐水されるようになっている。
【０００４】
また、特許文献２の吐水装置においては、吐水口のすぐ上流側に曲面形の堰が形成され、水流がこの堰を乗り越えることにより、水流の持つ勢いが吸収されてリセットされ、これにより、整流効果が発生するようになっている。
【０００５】
【特許文献１】特開２０００-１７７０２号公報
【特許文献２】実公平７-５４３６２号公報
【発明の開示】
【発明が解決しようとする課題】
【０００６】
上述した特許文献１の吐水装置においては、水量が少ないときは、良好な整流効果を得ることができるが、水量が多くなると、吐水が傾いたり、飛散したりして、十分な整流効果が得られないという問題がある。
【０００７】
また、特許文献２の吐水装置においては、水流が堰を乗り越えることにより、乱れが発生することがあり、さらに、堰により吐水口直前の流路が狭くなるので、多くの水量が流れないという問題がある。
【０００８】
そこで、本発明は、従来技術の問題点を解決するためになされたものであり、水量が多くなっても良好な整流効果を得ることができる吐水装置を提供することを目的としている。
【課題を解決するための手段】
【０００９】
上記の目的を達成するために、本発明は、給水された水を吐水口から吐水する吐水装置であって、水平方向に延びる給水路及び鉛直方向に開口する吐水口を備えた吐水部本体と、この吐水部本体の吐水口に取り付けられ、上流から下流に向かって設けられた整流板、整流網及びこの整流網を保持する整流キャップを備えた吐水ユニットと、を有し、整流板は、その鉛直方向に延びる上流側側面に水平方向に延びるように形成された第１整流用開口部及びその下流側水平面に鉛直方向に延びるように形成された第２整流用開口部を備えていることを特徴としている。
このように構成された本発明においては、吐水部本体の吐水口に到達した水は、先ず、整流板の水平方向に延びる第１整流用開口により、整流され、次に、整流板の鉛直方向に延びる第２整流用開口部により整流され、さらに、整流網により整流されるので、良好な整流効果を得ることができる。
【００１０】
本発明において、好ましくは、整流板は、側面に、上方に突出し且つ水平方向に延びる複数のリブを有し、これらのリブにより形成された複数の開口が第１整流用開口部である。
このように構成された本発明においては、吐水部本体の吐水口に到達した水は、先ず、整流板のリブに当接しながら水平方向に延びる複数の開口により、整流され、次に、整流板の鉛直方向に延びる第２整流用開口部により整流され、さらに、整流網により整流されるので、良好な整流効果を得ることができる。
【００１１】
本発明において、好ましくは、整流板は、側面に、鉛直方向に延び且つ水平方向に複数の貫通孔が形成されている円筒部を有し、この円筒部の複数の貫通孔が第１整流用開口部である。
このように構成された本発明においては、吐水部本体の吐水口に到達した水は、先ず、整流板の円筒部の貫通孔以外の部分に当接しながら水平方向に延びる複数の貫通孔により、整流され、次に、整流板の鉛直方向に延びる第２整流用開口部により整流され、さらに、整流網により整流されるので、良好な整流効果を得ることができる。
【００１２】
本発明において、好ましくは、吐水ユニットは、整流キャップが、整流網を保持した状態でその内周部が上記整流板の外周部に螺合して取り付けられることにより一体化され、また、整流網は、その中央部に開口が形成され、さらに、一体化された吐水ユニットの整流板が、この整流網の開口に対応する位置で上記吐水部本体にネジにより取り付けられている。
このように構成された本発明においては、先ず、整流板、整流キャップ及び整流網が一体化されて吐水ユニットとなり、次に、一体化された吐水ユニットが吐水部本体８ｂにネジ２０により着脱自在に取り付けられているので、組立作業や分解作業等が容易となる。また、静流キャップ外周面に工具係りがなく吐水ユニットを薄型に構成することができる。
【発明の効果】
【００１３】
本発明の吐水装置によれば、水量が多くなっても良好な整流効果を得ることができる。
【発明を実施するための最良の形態】
【００１４】
以下、添付図面を参照して、本発明の吐水装置の実施形態を説明する。先ず、図１乃至図７により、本発明の第１実施形態による吐水装置を説明する。
図１は本発明の第１実施形態による吐水装置を示す全体斜視図であり、図２は図１のII−II線に沿って見た断面図であり、図３は図２のIII−III線に沿って見た断面図であり、図４は本発明の第１実施形態による吐水装置の吐水口近傍を示す拡大部分断面図であり、図５は本発明の第１実施形態の吐水装置の整流板を示す斜視図であり、図６は図５の整流板を示す平面図であり、図７は本発明の第１実施形態の吐水装置の整流網を示す平面図である。
【００１５】
先ず、図１乃至図３により、本発明の第１実施形態による吐水装置を説明する。第１実施形態による吐水装置は、浴槽等に用いられる湯水混合水栓に適用されたものである。この吐水装置１は、お湯を供給する湯供給部２、水を供給する水供給部４、これらの水及びお湯を混合する湯水混合部６、湯水混合部６からの湯水を浴槽（図示せず）に吐水するスパウト部８を備えている。
【００１６】
湯供給部２は、湯供給路２ａ、湯量調整ハンドル２ｂ、湯量調整弁２ｃから構成されており、湯量調整ハンドル２ｂを反時計回りに回転させることにより、湯量調整弁２ｃの開度が増大して、お湯の量が増大するようになっている。
水供給部４は、水供給路４ａ、水量調整ハンドル４ｂ、水量調整弁４ｃから構成されており、水量調整ハンドル４ｂを時計回りに回転させることにより、水量調整弁４ｃの開度が増大して、水の量が増大するようになっている。
湯水混合部６は、湯供給部２から供給されるお湯と水供給部４から供給される水とを混合し、所望の温度の湯水となるようになっている。
【００１７】
スパウト部８は、鉛直方向に延びる給水路である基部８ａと、基部８ａの上端から手前側に水平方向に延びる給水路である吐水部本体８ｂから構成されている。この吐出部本体８ｂの先端近傍には、鉛直方向に開口する吐水口８ｃが形成されている。この吐水口８ｃには、整流機能を有する吐水ユニット１０が取り付けられている。
【００１８】
次に、図４乃至図７により、吐水ユニット１０を説明する。図４に示すように、吐水ユニット１０は、上流から下流に向かって整流板１２、整流網１４及びこの整流網１４を保持する整流キャップ１６を備えている。
【００１９】
先ず、図４乃至図６に示すように、整流板１２は、真鍮製または樹脂材料製であり、その鉛直方向に延びる上流側側面１２ａを有し、この上流側側面１２ａに、上方に突出し且つ水平方向に延びる複数のリブ１２ｂが形成され、これらのリブ１２ｂにより水平方向に延びる第１整流用開口部である複数の水平開口１２ｃが形成されている。
また、整流板１２は、その下流側水平面１２ｄを有し、この下流側水平面１２ｄには鉛直方向に延びるように形成された第２整流用開口部である複数の鉛直開口１２ｅが形成されている。
【００２０】
さらに、整流板１２は、取付用穴１２ｆが形成され、この取付用穴１２ｆに対応する吐出部本体８ｂにも、取付用雌ネジ８ｄが形成されている。整流板１２の下流側側面の外周部には、後述する整流キャップ１６の雌ネジ１６ａと螺合する雄ネジ１２ｇが形成されている。
【００２１】
次に、図４及び図７に示すように、整流網１４は、３層に重ねられ、ステンレス鋼等の金属線を網状に編んで形成されたものであり、その中央部に、開口１４ａが形成されている。
次に、図４に示すように、整流キャップ１６の上流側内周部には雌ネジ１６ａが形成されている。
【００２２】
ここで、吐水ユニット１０を吐水部本体８ｂの吐水口８ｃに取り付ける場合には、先ず、整流キャップ１６を整流網１４を保持した状態で、整流キャップ１６の雌ネジ１６ａを整流板１２の雄ネジ１２ｇに螺合させて、整流キャップ１６及び整流網１４を整流板１２に結合させて一体化（ユニット化）する。次に、一体化された整流キャップ１６、整流網１４及び整流板１２、即ち、吐水ユニット１０を、吐水口８ｃ内に挿入し、このとき、リングシール１８を吐水部本体８ｂとの間に挿入し、この状態で、整流網１４の開口１４ａから取付用ネジ２０を挿入し、さらに、整流板１２の取付用穴１２ｆに挿入し、吐出部本体８ｂの雌ネジ８ｃと螺合させることにより、吐出ユニット１０の取り付けが完了するようになっている。このように、本実施形態においては、先ず、整流板１２、整流キャップ１６及び整流網１４を吐水ユニット１０としてユニット化し、次に、この吐水ユニット１０を吐水部本体８ｂに取付用ネジ２０に着脱自在に取り付けるようにしているので、組立作業や分解作業等が容易となる。
【００２３】
次に、本発明の第１実施形態による動作を説明する。使用者が、湯量調整ハンドル２ｂ及び水量調整ハンドル４ｂを適当に調整して、所望の温度の湯水がスパウト部８の基部８ａを経由して、吐出部本体８ｂに至り、吐水口８ｃに到達する。また、水量調整ハンドル４ｂのみが調整され、水がスパウト部８の基部８ａを経由して、吐出部本体８ｂに至り、吐水口８ｃに到達する場合もある。
【００２４】
このとき、水道圧により、整流板１２の上流側側面１２ａの全周にほぼ均等な水圧が作用する。この状態で、水流の一部は、リブ１２ｂに当接して勢いが低下し、水流の残りは、リブ１２ｂ間に形成された水平開口１２ｃを水平方向に流れて通過する。リブ１２ｂの高さ及び厚み、水平開口１２ｃの大きさを適用に調節することにより、良好な整流効果を得ながら且つ比較的多量の水量を流すことができる。さらに、整流板１２の上流側側面１２ａにおいては、全周からほぼ均等な水圧の水流が水平方向の中心部に向かって流れ込むようになっているので、これにより、良好な整流効果を得ると共に水量が多いときに生じる吐水の傾きを解消することができる。
【００２５】
次に、整流板１２の水平開口１２ｃを通過した水流は、流れの向きを水平方向から鉛直方向に向きを変え、整流板１２の鉛直開口１２ｅを通過する。水流は、この鉛直開口１２ｅで、さらに、整流されて、下流の整流網１４に至り、この整流網１４で、さらに整流されて、一本の流線として浴槽に吐水されるようになっている。
【００２６】
このように本発明の第１実施形態の吐水装置１によれば、整流板１２の水平開口１２ｃによる水平方向流れの整流、整流板１２の鉛直開口１２ｅによる鉛直方向流れの整流、さらに、整流網１４による整流の３つの整流作用を組み合わせることにより、上述した従来技術の装置よりも、吐水する水量が多くなっても、吐水が傾いたり、飛び散ったりすることを、効果的に防止することができる。
【００２７】
次に、図８及び図９により、本発明の第２実施形態による吐水装置を説明する。図８は本発明の第２実施形態による吐水装置の吐水口近傍を示す拡大部分断面図であり、図９は本発明の第２実施形態の吐水装置の整流板を示す斜視図である。この第２実施形態による吐水装置は、上述した第１実施形態の吐水装置と基本構造は同じであり、整流板の構造のみが異なっている。
【００２８】
第２実施形態による吐水装置３０の整流板３２は、真鍮製または樹脂材料製であり、その鉛直方向に延びる上流側側面３２ａを有し、この上流側側面３２ａには、鉛直方向に延びる円筒部３２ｂが形成され、この円筒部３２ｂには、水平方向に延びる第１整流用開口部である複数の水平開口３２ｃが形成されている。
また、整流板３２は、その下流側水平面３２ｄを有し、この下流側水平面３２ｄには鉛直方向に延びるように形成された第２整流用開口部である複数の鉛直開口３２ｅが形成されている。
【００２９】
さらに、整流板３２は、取付用穴３２ｆが形成され、この取付用穴３２ｆに対応する吐出部本体８ｂにも、取付用雌ネジ８ｄが形成されている。整流板３２の下流側側面の外周部には、上述した整流キャップ１６の雌ネジ１６ａと螺合する雄ネジ３２ｇが形成されている。
【００３０】
このように構成された第２実施形態による吐水装置３０においても、水がスパウト部８の基部８ａを経由して、吐水部本体８ｂに至り、吐水口８ｃに到達したとき、水道圧により、整流板３２の上流側側面３２ａの全周にほぼ均等な水圧が作用する。この状態で、水流の一部は、円筒部３２ｂの水平開口３２ｃ以外の部分に当接して勢いが低下し、水流の残りは、水平開口３２ｃを水平方向に流れて通過する。円筒部３２ｂの高さ、水平開口３２ｃの大きさを適用に調節することにより、良好な整流効果を得ながら且つ比較的多量の水量を流すことができる。さらに、整流板３２の上流側側面３２ａにおいては、全周からほぼ均等な水圧の水流が水平方向の中心部に向かって流れ込むようになっているので、これにより、良好な整流効果を得ると共に水量が多いときに生じる吐水の傾きを解消することができる。
【００３１】
次に、整流板３２の水平開口３２ｃを通過した水流は、流れの向きを水平方向から鉛直方向に向きを変え、整流板３２の鉛直開口３２ｅを通過する。水流は、この鉛直開口３２ｅで、さらに、整流されて、下流の整流網１４に至り、この整流網１４で、さらに整流されて、浴槽に吐水されるようになっている。
【００３２】
このように本発明の第２実施形態の吐水装置１においても、第１実施形態と同様に、整流板３２の水平開口３２ｃによる水平方向流れの整流、整流板３２の鉛直開口３２ｅによる鉛直方向流れの整流、さらに、整流網１４による整流の３つの整流作用を組み合わせることにより、上述した従来技術の装置よりも、吐水する水量が多くなっても、吐水が傾いたり、飛び散ったりすることを、効果的に防止することができる。
【図面の簡単な説明】
【００３３】
【図１】本発明の第１実施形態による吐水装置を示す全体斜視図である。
【図２】図１のII−II線に沿って見た断面図である。
【図３】図２のIII−III線に沿って見た断面図である。
【図４】本発明の第１実施形態による吐水装置の吐水口近傍を示す拡大部分断面図である。
【図５】本発明の第１実施形態の吐水装置の整流板を示す斜視図である。
【図６】図５の整流板を示す平面図である。
【図７】本発明の第１実施形態の吐水装置の整流網を示す平面図である。
【図８】本発明の第２実施形態による吐水装置の吐水口近傍を示す拡大部分断面図である。
【図９】本発明の第２実施形態の吐水装置の整流板を示す斜視図である。
【符号の説明】
【００３４】
１，３０  吐水装置
２  湯供給部
４  水供給部
６  湯水混合部
８  スパウト部
８ａ  基部
８ｂ  吐水部本体
８ｃ  吐水口
８ｄ  取付用ネジ
１０  吐水ユニット
１２  整流板
１２ａ  上流側側面
１２ｂ  リブ
１２ｃ  水平開口（第１整流用開口部）
１２ｄ  下流側水平面
１２ｅ  鉛直開口（第２整流用開口部）
１２ｆ  取付用孔
１２ｇ  雄ネジ
１４  整流網
１４ａ  開口
１６  整流キャップ
１６ａ  雌ネジ
１８  リングシール
２０  取付用ネジ
３２  整流板
３２ａ  上流側側面
３２ｂ  円筒部
３２ｃ  水平開口（第１整流用開口部）
３２ｄ  下流側水平面
３２ｅ  鉛直開口（第２整流用開口部）
３２ｆ  取付用孔
３２ｇ  雄ネジ
【図１】
2007270537.tif 000003
【図２】
2007270537.tif 000004
【図３】
2007270537.tif 000005
【図４】
2007270537.tif 000006
【図５】
2007270537.tif 000007
【図６】
2007270537.tif 000008
【図７】
2007270537.tif 000009
【図８】
2007270537.tif 000010
【図９】
2007270537.tif 000011